(57)【要約】  本開示は、表示パネルの表示輝度調節用の方法、機器、装置、表示装置及びコンピュータ読み取り可能な記憶媒体を提供する。前記方法は、表示画面をＮ個の表示領域に分割するステップと、現在フレームにおけるｉ個目の表示領域に対して、現在フレームにおける１個目ないしｉ−１個目の表示領域の表示データに基づいて、現在フレームにおけるｉ個目の表示領域用の輝度調節パラメータを特定するステップと、前記輝度調節パラメータに基づいて、現在フレームにおけるｉ個目の表示領域の表示輝度を調節し、Ｎ及びｉが２以上の正整数であり、ｉがＮ以下であるステップと、を含む。
2021520507.tif 000002
【特許請求の範囲】
【請求項１】
表示画面をＮ個の表示領域に分割するステップと、
現在フレームにおけるｉ個目の表示領域に対して、現在フレームにおける１個目ないしｉ−１個目の表示領域の表示データに基づいて、当該ｉ個目の表示領域用の輝度調節パラメータを特定するステップと、
前記輝度調節パラメータに基づいて、現在フレームにおけるｉ個目の表示領域の表示輝度を調節し、Ｎ及びｉが２以上の正整数であり、ｉがＮ以下であるステップと、を含む表示パネルの表示輝度調節用の方法。
【請求項２】
現在フレームにおける１個目ないしｉ−１個目の表示領域の表示データに基づいて、当該ｉ個目の表示領域用の輝度調節パラメータを特定するステップは、
現在フレームにおける１個目ないしｉ−１個目の表示領域の表示データに基づいて、第１の輝度統計データを特定し、直前フレームにおける表示領域の表示データに基づいて、第２の輝度統計データを特定するステップと、
特定された第１の輝度統計データ及び第２の輝度統計データに基づいて、前記輝度調節パラメータを特定するステップと、を含む、請求項１に記載の方法。
【請求項３】
第１の輝度統計データを特定するステップは、
現在フレームにおける１個目ないしｉ−１個目の表示領域の各々に対して、それぞれ該当表示領域の表示データに基づいて当該表示領域の輝度統計データを特定するステップと、
特定された現在フレームにおける１個目ないしｉ−１個目の表示領域の各表示領域の輝度統計データに基づいて、第１の輝度統計データを特定するステップと、を含む、請求項２に記載の方法。
【請求項４】
第２の輝度統計データを特定するステップは、
直前フレームにおけるｉ個目ないしＮ個目の表示領域の表示データに基づいて、第２の輝度統計データを特定するステップを含む、請求項２又は３に記載の方法。
【請求項５】
第２の輝度統計データを特定するステップは、
直前フレームにおけるｉ個目ないしＮ個目の表示領域の各々に対して、それぞれ当該表示領域の表示データに基づいて当該表示領域の輝度統計データを特定するステップと、
特定された直前フレームにおけるｉ個目ないしＮ個目の表示領域の各表示領域の輝度統計データに基づいて、第２の輝度統計データを特定するステップと、をさらに含む、請求項４に記載の方法。
【請求項６】
各表示領域について、その輝度統計データは、
当該表示領域内の各画素の表示データの和と、
当該表示領域内の、表示データが設定された閾値を超える画素の数とのうち、少なくとも１つを含む、請求項１に記載の方法。
【請求項７】
特定された第１の輝度統計データ及び第２の輝度統計データに基づいて、前記輝度調節パラメータを特定するステップは、
前記第１の輝度統計データと前記第２の輝度統計データとを加算して、総輝度統計データを特定するステップと、
予め設定されたマッピング関係に基づいて、前記総輝度統計データに対応する輝度調節パラメータを特定し、特定された輝度調節パラメータを現在フレームにおけるｉ個目の表示領域用の輝度調節パラメータとするステップと、を含む、請求項２に記載の方法。
【請求項８】
表示画面における画素の駆動方式に基づいて、表示画面を横方向又は縦方向に沿って前記Ｎ個の領域に分割することを特定する、請求項１に記載の方法。
【請求項９】
Ｎ＝８である、請求項１〜８のいずれか一項に記載の方法。
【請求項１０】
１つ又は複数のプロセッサと、
１つ又は複数のメモリと、を含み、
前記メモリには、コンピュータ読み取り可能なコードが記憶され、前記コンピュータ読み取り可能なコードは、前記１つ又は複数のプロセッサによって実行されるとき、請求項１〜９のいずれか一項に記載の方法が実行される、表示パネルの表示輝度調節用の機器。
【請求項１１】
表示画面をＮ個の表示領域に分割するように構成される分割モジュールと、
現在フレームにおけるｉ個目の表示領域に対して、現在フレームにおける１個目ないしｉ−１個目の表示領域の表示データに基づいて、当該ｉ個目の表示領域用の輝度調節パラメータを特定するように構成される輝度調節パラメータ特定モジュールと、
前記輝度調節パラメータに基づいて、現在フレームにおけるｉ個目の表示領域の表示輝度を調節するように構成される調節モジュールと、を含み、
Ｎ及びｉが２以上の正整数であり、ｉがＮ以下である、表示パネルの表示輝度調節用の装置。
【請求項１２】
請求項１１に記載の表示パネルの表示輝度調節用の装置を含む、表示装置。
【請求項１３】
１つ又は複数のプロセッサによって実行されるとき、請求項１〜９のいずれか一項に記載の表示パネルの表示輝度調節用の方法を実行するコンピュータ読み取り可能なコードが記憶される、非一時的なコンピュータ読み取り可能な記憶媒体。
【発明の詳細な説明】
【技術分野】
【０００１】
関連出願の相互参照
本出願は、２０１８年０５月１１日に提出された中国特許出願第２０１８１０４５０４７６．３号の優先権を主張し、本開示の一部として、上記中国特許出願によって開示された内容の全文をここに援用する。
【０００２】
本開示は、表示輝度調節用の方法、機器、表示装置及び記憶媒体に関する。
【背景技術】
【０００３】
自発光表示パネルに対して表示輝度の調節を行うとき、表示画面における各サブ画素の輝度を調整することにより、消費電力を増大させずに表示コントラストを向上させることができる。例えば、画面のフレームの表示データに基づいて、現在表示画面の消費電力の状況を判断し、現在の消費電力の状況に応じて直後フレームの表示画面の輝度を調節することができる。しかし、前後２つのフレームの表示画面の消費電力が大きく相違する場合には、前のフレームの表示データに基づいて次のフレームの表示データを調整すると、かえって、次のフレームの表示による消費電力が過大となる問題が存在する可能性があるので、電源障害を招いてしまう。
【発明の概要】
【課題を解決するための手段】
【０００４】
本開示の一態様は、表示画面をＮ個の表示領域に分割するステップと、現在フレームにおけるｉ個目の表示領域に対して、現在フレームにおける１個目ないしｉ−１個目の表示領域の表示データに基づいて、当該ｉ個目の表示領域用の輝度調節パラメータを特定するステップと、前記輝度調節パラメータに基づいて、現在フレームにおけるｉ個目の表示領域の表示輝度を調節し、Ｎ及びｉが２以上の正整数であり、ｉがＮ以下であるステップと、を含む表示パネルの表示輝度調節用の方法を提供する。
【０００５】
本開示の実施例によれば、現在フレームにおける１個目ないしｉ−１個目の表示領域の表示データに基づいて、現在フレームにおけるｉ個目の表示領域用の輝度調節パラメータを特定するステップは、現在フレームにおけるｉ個目の表示領域に対して、現在フレームにおける１個目ないしｉ−１個目の表示領域の表示データに基づいて、第１の輝度統計データを特定し、直前フレームにおける表示領域の表示データに基づいて、第２の輝度統計データを特定するステップと、特定された第１の輝度統計データ及び第２の輝度統計データに基づいて、前記輝度調節パラメータを特定するステップと、を含む。
【０００６】
本開示の実施例によれば、前記第１の輝度統計データを特定するステップは、現在フレームにおける１個目ないしｉ−１個目の表示領域の各々に対して、それぞれ該当表示領域の表示データに基づいて、当該表示領域の輝度統計データを特定するステップと、特定された現在フレームにおける１個目ないしｉ−１個目の表示領域の各表示領域の輝度統計データに基づいて、第１の輝度統計データを特定するステップと、を含む。
【０００７】
本開示の実施例によれば、前記第２の輝度統計データを特定するステップは、直前フレームにおけるｉ個目ないしＮ個目の表示領域の表示データに基づいて、第２の輝度統計データを特定するステップを含む。
【０００８】
本開示の実施例によれば、前記第２の輝度統計データを特定するステップは、直前フレームにおけるｉ個目ないしＮ個目の表示領域の各々に対して、それぞれ該当表示領域の表示データに基づいて、当該表示領域の輝度統計データを特定するステップと、特定された直前フレームにおけるｉ個目ないしＮ個目の表示領域の各表示領域の輝度統計データに基づいて、第２の輝度統計データを特定するステップをさらに含む。
【０００９】
本開示の実施例によれば、各表示領域について、その輝度統計データは、当該表示領域内の各画素の表示データの和と、当該表示領域内の、表示データが設定された閾値を超える画素の数とのうち、少なくとも１つを含む。
【００１０】
本開示の実施例によれば、特定された第１の輝度統計データ及び第２の輝度統計データに基づいて、前記輝度調節パラメータを特定するステップは、前記第１の輝度統計データと前記第２の輝度統計データとを加算して、総輝度統計データを特定するステップと、予め設定されたマッピング関係に基づいて、前記総輝度統計データに対応する輝度調節パラメータを特定し、特定された輝度調節パラメータを現在フレームにおけるｉ個目の表示領域用の輝度調節パラメータとするステップと、を含む。
【００１１】
本開示の実施例によれば、表示画面における画素の駆動方式に基づいて、表示画面を横方向又は縦方向に沿って前記Ｎ個の領域に分割することを特定する。
【００１２】
本開示の他の一態様によれば、１つ又は複数のプロセッサと、１つ又は複数のメモリと、を含み、前記メモリには、コンピュータ読み取り可能なコードが記憶され、前記コンピュータ読み取り可能なコードは、前記１つ又は複数のプロセッサによって実行されるとき、上記表示パネルの表示輝度を調節する方法を実行する、表示パネルの表示輝度調節用の機器をさらに提供する。
【００１３】
本開示のまた別の一態様によれば、表示画面をＮ個の表示領域に分割するように構成される分割モジュールと、現在フレームにおけるｉ個目の表示領域に対して、現在フレームにおける１個目ないしｉ−１個目の表示領域の表示データに基づいて、当該ｉ個目の表示領域用の輝度調節パラメータを特定するように構成される輝度調節パラメータ特定モジュールと、前記輝度調節パラメータに基づいて、現在フレームにおけるｉ個目の表示領域の表示輝度を調節するように構成される調節モジュールと、を含み、Ｎ及びｉが２以上の正整数であり、ｉがＮ以下である、表示パネルの表示輝度調節用の装置をさらに提供する。
【００１４】
本開示のまた別の一態様によれば、上述したような表示パネルの表示輝度調節用の機器を含む、表示装置をさらに提供する。
【００１５】
本開示のまた別の一態様によれば、１つ又は複数のプロセッサによって実行されるとき、上述したような表示パネルの表示輝度調節用の方法を実行するコンピュータ読み取り可能なコードが記憶される、非一時的なコンピュータ読み取り可能な記憶媒体をさらに提供する。
【図面の簡単な説明】
【００１６】
本発明の実施例又は従来技術における技術的手段をより詳しく説明するために、以下、実施例又は従来技術の説明に用いられる図面について簡単に説明する。もちろん、以下の説明における図面は単なる本発明の一部の実施例に過ぎず、当業者にとって、創造的な労働を貢献せずに、これらの図面に基づいて、他の図面を取得することもできる。
【００１７】
【図１】従来技術におけるピーク輝度アルゴリズムによる表示輝度の調節の概略図を示す。
【図２】本開示の実施例に係る表示輝度調節方法のフローチャートを示す。
【図３】本開示の実施例に係る第１の輝度統計データを特定するフローチャートを示す。
【図４】本開示の実施例に係る第２の輝度統計データを特定するフローチャートを示す。
【図５】本開示の実施例に係る分割された表示領域の概略図を示す。
【図６】本開示の実施例に係る表示輝度調節方法による表示輝度の調節の概略図を示す。
【図７】本開示の実施例に係る表示輝度調節方法による表示輝度の調節の効果の概略図を示す。
【図８】本開示の実施例によって提供される表示輝度調節用の機器の概略的なブロック図を示す。
【図９】本開示の実施例によって提供される表示輝度調節用の装置の概略的なブロック図を示す。
【発明を実施するための形態】
【００１８】
以下、本開示の実施例における図面を参照して、本開示の実施例における技術案について明確かつ全面的に説明する。明らかに、説明される実施例は、すべての実施例ではなく、単なる本開示の一部の実施例に過ぎない。本開示における実施例に基づいて、当業者が創造的労働をせずに取得するすべての他の実施例は、いずれも本開示の保護範囲に属する。
【００１９】
本開示で用いられる「第１」、「第２」といった文言は、何らかの順序、数又は重要性を表すものではなく、単なる異なる構成要素を区別するためのものである。同様に、「含む」又は「有する」及びそれらの変形が使用されている場合、列挙される素子又は物体、及びその均等物を包括することを意味し、他の素子又は物体を排除しない。「接続」及び「結合」及びそれらの変形が使用されている場合、物理的又は機械的な接続いずれも、直接的接続や間接的接続に限定せず、電気的な接続を含んでもよい。
【００２０】
本出願では、本出願の実施例に係る方法のステップについてフローチャートを用いて説明する。なお、前後のステップは、必ずしも順序通りに正確に行われるわけではない。代わりに、逆順序で、又は同時に種々のステップを処理することができる。一方、他の動作をこれらのプロセスに追加し、あるいはこれらのプロセスから、あるステップ又は複数のステップを削除することもできる。
【００２１】
表示分野において、有機発光ダイオード（ＯＬＥＤ）は、自発光表示素子の一種である。ＯＬＥＤは、バックライトを必要とせず、非常に薄い有機材料のコーティング及びガラス基板を用いて製造され、電流が通過するとき、これらの有機材料が発光する。ＯＬＥＤ表示技術は、自発光、広視野角、高コントラスト、比較的低消費電力、高応答速度などの利点を有するので、ＯＬＥＤディスプレイスクリーンをより軽くより薄く製造することができ、視野角をより大きくし、コントラストをより高くするとともに、電力を著しく節約することもできる。ＯＬＥＤ表示技術によるアクティブマトリックス有機発光ダイオード（ＡＭＯＬＥＤ）表示パネルは、自発光という表示特性を有し、低消費電力、高コントラスト、応答速度が速いなどの優位性を有する。
【００２２】
自発光表示技術を採用する表示パネルでは、各画素が個別に発光するので、その消費電力は表示画面における表示データと直接に相関している。自発光表示パネルに対してピーク輝度アルゴリズムを適用することで、各サブ画素の輝度を調節することができ、消費電力を増大させずに表示画面のコントラストを向上させることを実現する。上記ピーク輝度アルゴリズムのメインプロセスは、表示画面における表示データを検出し、表示データに基づいてゲイン値を算出し、当該ゲイン値に基づいてパネルの表示輝度を調節する。その最終的な効果は、画面の表示面積が比較的大きく、全体的な消費電力が比較的高い場合、比較的小さいゲイン値が出力されて、消費電力が正常の範囲を超えるほど、過大にならないように表示輝度が調節され、画面の表示面積が比較的小さく、全体的な消費電力が比較的低い場合、比較的大きいゲイン値が出力されて、表示画面のピーク輝度がより高い値に達するように表示輝度が調節され、より高い表示コントラスト、より優れた表示効果が実現される。
【００２３】
具体的には、上記ピーク輝度アルゴリズムは、一般的に、まず１フレームの表示データ（例えば、画素の階調値）を加算し、算出された加算データに基づいて現在フレーム内の表示画面の消費電力の状況を判断し、ゲイン値を算出して表示輝度を調節する。上記ピーク輝度アルゴリズムの実装形態の１つは、現在フレームの表示が完了した後、現在フレームの表示データを算出し、ゲイン値（Ｇａｉｎ）を生成して、当該現在フレームの表示データに基づいて算出されたゲイン値を次のフレームの表示画面の表示データの調節に適用する。
【００２４】
しかし、この実装形態では、現在フレームに基づいて算出されたゲイン値は、１フレーム遅延して作用すること、すなわち、前のフレームの表示データによって生成されたゲイン値は、次のフレームの表示データに作用することがそのデメリットである。前後２つのフレームの消費電力が大きく相違する場合、調節された表示画面の消費電力が基準を超えるようになり、電源障害が現れる可能性がある。図１には、上記実装形態に基づく表示データの調節の概略図が示されている。
【００２５】
図１に示すように、１個目のフレームの表示画面において、例えば、中心に位置するウィンドウ部分の画素の輝度値が２５５であり、その他の画素の輝度値が０であるように、ウィンドウ部分の画素の輝度値が比較的高く、他の部分の画素の輝度値が比較的低い場合、当該１個目のフレームの表示データに基づいて算出されたゲイン値が比較的大きい。一方、２個目のフレームの表示画面におけるすべての画素の輝度値がいずれも比較的高い場合、例えば、画面全体の表示データがいずれも２５５である。そのため、１個目のフレームに基づいて算出されたゲイン値Ｇａｉｎ１を２個目のフレームに適用する場合、画素輝度値を合理的に調節することを実現できず、ひいては、２個目のフレームの表示輝度が高すぎて消費電力が基準を超えてしまう。２個目のフレームの表示データに基づいてゲイン値Ｇａｉｎ２を算出する場合、２個目のフレームの表示輝度が比較的高いので、比較的小さいＧａｉｎ２が得られる。Ｇａｉｎ２を３個目のフレームの表示データの調節に適用する場合、３個目のフレームの画素の輝度値を適宜低く調整する。これからわかるように、このようなゲイン値が１フレーム遅延して調節する実装形態は、前後２つのフレームの表示データが大きく相違する場合、ある１フレームの表示による消費電力が過大になり、電源障害の事象が現れるおそれがある。
【００２６】
他の１つのピーク輝度アルゴリズムの実装形態は、例えば、バッファメモリのようなハードウェアを増加することで、１フレームの表示データを予めキャッシュして、当該キャッシュされたフレームの表示データに基づいて当該フレームのゲイン値を算出し、そして、算出されたゲイン値と表示画面とが同期するように、当該ゲイン値に基づいて調節された後の表示データを表示し、その結果、ゲイン値が遅延して作用することで生じ得る問題が回避される。このような実装形態のデメリットは、超大容量のキャッシュ部品を増加する必要があり、コストを増加させた上に、キャッシュされた表示画面も１フレーム遅延して表示される。
【００２７】
本開示は、表示輝度調節用の方法を提供する。図２には、本開示の実施例に係る方法のフローチャートが示されている。
【００２８】
図２に示すように、まず、ステップＳ２０１において、表示画面をＮ個の表示領域に分割し、Ｎが２以上の正整数である。一部の実施例において、表示画面に含まれる画素の数に基づいてＮの値を特定してもよい。例えば、表示画面に含まれる画素の数が比較的多い（例えば、予め設定された閾値を超える）場合、各フレームの表示画面を８個の領域に分割できる。又は、表示画面に含まれる画素の数が比較的少ない（例えば、予め設定された閾値より低い）場合、表示画面を４個の領域に分割できる。
【００２９】
次に、ステップＳ２０２において、現在フレームにおけるｉ個目の表示領域に対して、現在フレームにおける１個目ないしｉ−１個目の表示領域の表示データに基づいて、当該ｉ個目の表示領域用の輝度調節パラメータを特定し、ここで、ｉは２以上かつＮ以下の正整数である。
【００３０】
例えば、Ｎが８である場合、各フレームの表示画面が８個の表示領域に分割され、分割された表示領域を順次に表示し、ｉが５である場合、現在フレームにおける１個目ないし４個目の表示領域の表示データに基づいて、現在フレームにおける５個目の表示領域用の輝度調節パラメータを特定する。
【００３１】
一部の実施例において、現在フレームにおける１個目ないしｉ−１個目の表示領域の表示データに基づいて、現在フレームにおけるｉ個目の表示領域用の輝度調節パラメータを特定するステップは、現在フレームにおけるｉ個目の表示領域に対して、現在フレームにおける１個目ないしｉ−１個目の表示領域の表示データに基づいて、第１の輝度統計データを特定し、直前フレームにおける表示領域の表示データに基づいて、第２の輝度統計データを特定するステップと、特定された第１の輝度統計データ及び第２の輝度統計データに基づいて、前記輝度調節パラメータを特定するステップと、を含んでもよい。
【００３２】
例えば、ｉが５である場合、現在フレームにおける１個目ないし４個目の表示領域の表示データに基づいて第１の輝度統計データを算出する。
【００３３】
一部の実施例において、直前フレームの少なくとも一部の表示領域の表示データに基づいて、第２の輝度統計データを特定してもよい。例えば、直前フレームにおけるｉ個目ないしＮ個目の表示領域の表示データを用いて第２の輝度統計データを特定してもよい。一部の実施例において、ここで言及される輝度統計データの値が大きいほど表示画面が明るくなることが示されている。
【００３４】
その後、ステップＳ２０３において、前記輝度調節パラメータに基づいて、現在フレームにおけるｉ個目の表示領域の表示輝度を調節することができる。
【００３５】
現在フレームにおける１個目ないしｉ−１個目の表示領域の表示データに基づいて特定された第１の輝度統計データ、及び、直前フレームにおける表示領域の表示データに基づいて特定された第２の輝度統計データに基づいて、前記輝度調節パラメータを特定し、特定された輝度調節パラメータに基づいて、現在フレームにおけるｉ個目の表示領域内の各画素の表示輝度を調節する。すなわち、領域ごとに表示する場合、現在フレーム内の表示済みの表示領域の表示データ、及び、直前フレームの少なくとも一部の表示データに基づいて、現在フレームにおける表示しようとするｉ個目の表示領域の表示データを調節する。
【００３６】
表示画面の領域ごとの表示及び調節によって、現在フレームと直前フレームとの輝度が大きく相違する場合、調節値が１フレーム遅延して作用することで生じ得る問題が回避される。図１における１個目のフレーム及び２個目のフレームによって示されるように、前後２つのフレームに比較的大きい相違が現れる場合、１個目のフレームの表示データに基づいて算出された輝度統計データは、２個目のフレームにおける１個目の表示領域の表示データのみを調節し、両者が大きく相違する場合においても、２個目のフレームにおける１個目の表示領域の輝度にしか影響を及ばず、その後の表示領域の表示データは、現在の２個目のフレームの表示済みの表示領域、及び、１個目のフレームにおける一部の表示領域にもとづいて調節されるので、フレーム全体の画面の調節の遅延に起因する消費電力が過大になる問題が回避される。
【００３７】
図３には、本開示の実施例に係る第１の輝度統計データを特定するフローチャートが示されている。まず、ステップＳ３０１において、現在フレームにおける１個目ないしｉ−１個目の表示領域の各々に対して、それぞれ該当表示領域の表示データに基づいて当該表示領域の輝度データを特定することができる。すなわち、現在フレーム内の表示済みのｉ−１個の表示領域のうち各表示領域に対して、それぞれ該当表示領域の表示データに対応する輝度データを算出して、ｉ−１個の輝度データの値を取得する。一部の実施例において、当該表示領域の表示データは、当該表示領域における各画素の階調値であってもよい。
【００３８】
一部の実施例において、各フレームの表示画面をＮ個の表示領域に分割することで、各表示領域の輝度データをそれぞれ特定し、輝度統計データの特定に用いられるように各表示領域の輝度データをそれぞれ記憶してもよい。
【００３９】
次に、ステップＳ３０２において、特定された現在フレームにおける１個目ないしｉ−１個目の表示領域の各表示領域の輝度データに基づいて、第１の輝度統計データを特定することができる。例えば、上記各表示領域の輝度データの加算値を第１の輝度統計データとして特定することができる。すなわち、第１の輝度統計データは、ステップＳ３０１で算出された現在フレームのｉ−１個の輝度データの和である。
【００４０】
なお、ここで、各輝度データを加算して輝度統計データを生成することは、単なる本開示に係る実施例の一つに過ぎず、本開示を限定するものではない。例えば、設定された第１の閾値に基づいて、現在フレームの表示画面の表示状況を反映する第１の輝度統計データを特定してもよい。例えば、現在フレームにおける、輝度データが設定された第１の閾値より高い各表示領域の数を統計する。
【００４１】
現在フレームにおける１個目ないしｉ−１個目の表示領域うち各表示領域の輝度データに基づいて算出された第１の輝度統計データは、現在フレームにおける上記表示領域の表示状況を反映している。上記第１の輝度統計データを用いてｉ個目の表示領域の表示データを調節するための輝度調節パラメータを特定することができる。
【００４２】
本開示の実施例によれば、直前フレームにおける少なくとも１つの表示領域の表示データに基づいて第２の輝度統計データを特定する。現在フレームにおける調節しようとする表示領域ｉの表示順序に基づいて、前記少なくとも１つの表示領域を特定することができる。例えば、ｉが比較的小さい場合（例えば、Ｎが８であり、ｉが２である場合）、第２の輝度統計データを特定するための直前フレームにおける表示領域の数を増加することができ、例えば、直前フレームにおける２個目ないし８個目の表示領域の表示データを用いて第２の輝度統計データを算出する。ｉが比較的大きい場合（例えば、Ｎが８であり、ｉが７である場合）、第２の輝度統計データを特定するための直前フレームにおける表示領域の数を適宜減少することができ、例えば、直前フレームにおける７個目ないし８個目の表示領域の表示データを用いて第２の輝度統計データを算出する。
【００４３】
図４には、本開示の実施例に係る第２の輝度統計データを特定する具体的なフローチャートを示す。ステップＳ４０１において、直前フレームにおけるｉ個目ないしＮ個目の表示領域の各々に対して、それぞれ該当表示領域の表示データに基づいて当該表示領域の輝度データを特定する。ステップＳ３０１と同様に、すなわち、直前フレーム内の表示済みのｉ個目ないしＮ個目の表示領域のうち各表示領域に対して、それぞれ該当表示領域の表示データに対応する輝度データを算出し、Ｎ−ｉ＋１個輝度データの値を取得する。
【００４４】
次に、ステップＳ４０２において、特定された直前フレームにおけるｉ個目ないしＮ個目の表示領域の各表示領域の輝度データに基づいて、第２の輝度統計データを特定することができる。例えば、上記各表示領域の輝度データの加算値を第２の輝度統計データとして特定することができる。すなわち、第２の輝度統計データは、ステップＳ４０１で算出された直前フレームのＮ−ｉ＋１個の輝度データの和である。
【００４５】
なお、ここで、各表示領域の輝度データを加算することは、単なる本開示に係る実施例の１つに過ぎず、本開示を限定するものではない。例えば、設定された第２の閾値に基づいて直前フレームの表示画面の表示状況を反映する第２の輝度統計データを特定してもよい。例えば、現在フレームにおける、輝度データが設定された第２の閾値より高い表示領域の数を統計する。ここで、設定された第２の閾値は、ステップＳ３０１で設定された第１の閾値と同じであってもよく、異なってもよい。
【００４６】
本開示の実施例に係る分割された各表示領域について、その輝度データは、当該表示領域内の各画素の表示データの和であってもよい。この場合、輝度データは、当該表示領域全体の輝度を直接に反映し、例えば、当該表示領域が全て白である場合、当該輝度データは、当該領域に含まれる画素の数と画素の現在輝度値との乗積であってもよい。
【００４７】
上記各表示領域の輝度データは、設定された第３の閾値に基づいて算出されてもよい。例えば、第３の閾値を１２５と設定し、当該表示領域内の、当該第３の閾値である１２５を超える画素の数を統計して、統計された数を当該表示領域の輝度データとしてもよい。
【００４８】
なお、上記表示データを加算することにより、又は表示領域内の、設定された第３の閾値を超える画素数を統計することにより、輝度データを特定する方法は、本開示に係る実施例に過ぎず、他の形態で当該表示領域の表示状況を反映する輝度データを特定してもよい。例えば、段階的閾値を設ける形態で輝度データを特定し、すなわち、複数の閾値を設けることで表示データを複数の輝度区間範囲に分割し、各輝度区間内の画素の数をそれぞれ統計して当該表示領域の輝度データとしてもよい。例えば、ヒストグラムアルゴリズムで輝度データを特定してもよく、ここでは、詳しく説明しない。
【００４９】
また、以上に説明した輝度データを算出する方法は、いずれも本開示に係る実施例に適用することができる。第１又は第２の輝度統計データを算出する場合、例えば、現在フレームの１個目ないしｉ個目の表示領域の表示データに基づいて第１の輝度統計データを算出する場合、各表示領域に対して同じ輝度データの特定方法を採用すべきであり、例えば、すなわち、いずれも表示データを加算することで各表示領域の輝度データを算出する。
【００５０】
本開示の実施例に係る輝度調節方法において、特定された第１の輝度統計データ及び第２の輝度統計データに基づいて、前記輝度調節パラメータを特定するステップは、前記第１の輝度統計データと前記第２の輝度統計データとを加算して、総輝度統計データを特定するステップと、予め設定されたマッピング関係に基づいて、前記総輝度統計データに対応する輝度調節パラメータを特定し、特定された輝度調節パラメータを現在フレームにおけるｉ個目の表示領域用の輝度調節パラメータとするステップと、を含む。総輝度統計データは、第１の輝度統計データ及び第２の輝度統計データに対応する表示画面の表示状況を反映するデータであり、それに基づいて算出された前記輝度調節値は、調節しようとする表示領域（例えば、ｉ個目の表示領域）の表示データに作用する係数又は関数であってもよく、輝度調節値に基づいて、ｉ個目の表示領域の表示データを適切な範囲に調節して、表示画面のコントラストの増加を実現し、調節値が１フレーム遅延することに起因し得る表示画面消費電力が過大になる問題を回避する。前記輝度統計データに基づいて表示領域の表示輝度を調節することは、当分野における他の従来技術に基づいて実現されてもよいが、ここでは、一々例示しない。これは本開示を限定するものではない。
【００５１】
本開示の実施例によれば、表示画面における画素の駆動方式に基づいて、表示画面を横方向又は縦方向に沿って前記Ｎ個の領域に分割することを特定することができる。既存の表示画面は、一般的、行走査の方式を採用して１フレームの表示画面の画素を行単位で駆動する。図５には、本開示の実施例に係る横方向に沿って表示領域を分割する概略図が示されている。
【００５２】
図５には、Ｎが８である場合が示され、すなわち、表示画面を横方向に沿って８個の表示領域に分割し、各表示領域を順次に表示する。本開示の一実施例によれば、各ＳＵＭ値を当該表示領域の輝度データとすることができ、例えば、ＳＵＭ１を現在フレームの１個目の表示領域の輝度データとして特定することができる。
【００５３】
図６は、本開示の実施例に係る表示輝度調節方法を用いて表示輝度を調節する概略図を示し、図７は、図６に示す方法を用いて表示輝度を調節する効果の概略図を示している。以下、図６及び図７を参照して本開示に係る表示輝度調節方法について例示的に詳しく説明する。
【００５４】
本開示の実施例によれば、まず、表示画面をＮ個の表示領域に分割し、領域ごとに表示する。例えば、図５に示すように、表示画面を横方向に沿って８個の表示領域に分割する。図６に示すように、１個目のフレームの表示データを表示し始める場合、まず、第１領域を表示し、そして、第１表示領域の輝度データを算出する。例えば、第１表示領域のすべての画素の表示輝度を加算して値ＳＵＭ１を取得し、そして、第２表示領域を表示して、第２表示領域のすべての画素の表示輝度の和に基づく輝度データＳＵＭ２を算出し、以降同様である。１個目のフレームの表示データの表示が全部完了した後、１個目のフレームの表示画面における各表示領域の輝度データ値ＳＵＭ１〜ＳＵＭ８を算出することができる。１個目のフレームの表示データの輝度統計数値ＳＵＭ１〜ＳＵＭ８に基づいて１個目のフレーム全体の輝度統計データＧａｉｎ１を取得することができる。例えば、前述輝度統計数値ＳＵＭ１〜ＳＵＭ８を加算して総輝度統計データを取得し、予め設定されたマッピング関係に基づいて当該総輝度統計データのゲイン値Ｇａｉｎ１を特定することができる。次に、表示画面は、２個目のフレームの表示画面の１個目の表示領域を表示しようとすると、この場合、２個目のフレームが現在フレームであり、まず、１個目のフレームの表示データに基づいて特定されたＧａｉｎ１で２個目のフレームの１個目の表示領域内の各画素の輝度を調節し、そして輝度調節を経た当該１個目の表示領域の表示データを表示する。
【００５５】
次に、２個目のフレームの表示画面の１個目の表示領域の輝度データを算出して新たなＳＵＭ１とする。この場合、表示しようとする２個目のフレームの表示画面の２個目の表示領域に対して、現在フレームの１個目の表示領域の第１の輝度データＳＵＭ１（すなわち、図６の実線ブロック内に示されるＳＵＭ１）、及び、直前フレームの２〜８個目の表示領域の第２の輝度統計データＳＵＭ２〜ＳＵＭ８に基づいて輝度調節値Ｇａｉｎ２を特定し、Ｇａｉｎ２に基づいて現在フレームの２個目の表示画面内の各画素の輝度を調節する。例えば、現在フレームの１個目の表示領域の第１の輝度データＳＵＭ１、及び、直前フレームの２〜８個目の表示領域の第２の輝度統計データＳＵＭ２〜ＳＵＭ８を加算して総輝度統計データを取得し、予め設定されたマッピング関係に基づいて当該総輝度統計データに対応するゲイン値Ｇａｉｎ２を特定することができる。
【００５６】
以降同様に、２個目のフレームの表示画面の２個目の表示領域の輝度データを算出して新たなＳＵＭ２とし、表示しようとする２個目のフレームの表示画面の３個目の表示領域に対して、現在フレームの１〜２個目の表示領域の第１の輝度統計データＳＵＭ１〜ＳＵＭ２（すなわち、図６の実線ブロック内に示されるＳＵＭ１〜ＳＵＭ２）、及び、直前フレームの３〜８個目の表示領域の第２の輝度統計データＳＵＭ３〜ＳＵＭ８に基づいて輝度調節値Ｇａｉｎ３を特定し、Ｇａｉｎ３に基づいて現在フレームの３個目の表示画面内の各画素の輝度を調節する。
【００５７】
２個目のフレームの表示画面の表示が完了するまで、上記ステップを繰り返す。２個目のフレームの表示画面の表示データに基づいて算出されたＧａｉｎ８は、３個目のフレームの表示画面の１個目の表示領域内の各画素の輝度を調節するために用いられる。
【００５８】
これからわかるように、本開示の実施例に係る輝度調節方法において、各フレームの１個目の表示領域の輝度に限っては、完全に直前フレームの表示画面の輝度統計データに基づいて調節され、１個目の表示領域以外の表示領域に対して、現在フレームの表示済みの表示領域の表示データに基づいて輝度調節パラメータを特定することができ、当該輝度調節パラメータは、表示しようとする表示領域内の各画素の輝度を調節するために用いられる。
【００５９】
実際の適用プロセスにおいて、上記輝度調節方法は、実装プロセス全体が組立ラインのような動作である。表示データの入力とともに、各表示領域の輝度データを算出する。１フレームのデータの表示が完了した後、この８個の輝度データに基づいて、当該フレームの輝度表示状況及び表示による消費電力を反映する加算値をさらに取得することができ、これにより、表示輝度調節用のＧａｉｎ１値を特定する。２個目のフレームの１個目の領域のデータが入力された後、新たなＳＵＭ１値が生成され、直前フレームのＳＵＭ１値に代えて当該ＳＵＭ１値を用いて、８個のＳＵＭ値を加算し、加算で取得した総輝度統計データに基づいて新たなＧａｉｎ２値を生成する。２個目の表示領域の表示が完了した後、Ｇａｉｎ３値が生成され、以降同様に、各表示領域の表示データの継続的な入力とともに、各表示領域ごとの輝度調節の効果を実現する。各領域ごとに特定されたＳＵＭ値は、それぞれ記憶される。
【００６０】
なお、上記実施例において、ここで説明される８個の表示領域は、単なる例示的なものであり、表示画面を他の数の表示領域に分割してもよい。それに、上記実施例において、表示データを加算して各表示領域の輝度データを算出し、Ｇａｉｎ値を生成する形態を採用したが、実際の適用プロセスでは、他の形態を採用してＧａｉｎ値を生成してもよく、例えば、上述したように、閾値を設け、当該閾値を超える画素の数を統計する形態により輝度統計データを特定する。
【００６１】
図７に示すように、調節されていない１個目のフレームの表示画面は、中間の矩形部分の輝度値が比較的高く、例えば、輝度値が２５５であり、他の画素の輝度値が比較的低く、例えば、輝度値が０であり、調節されていない２個目のフレームの表示画面は、画面全体の輝度値が比較的高い。図１に基づく説明のように、１フレーム遅延して作用するピーク輝度アルゴリズムを採用すると、調節された後の２個目のフレームの表示画面の輝度が過大となり、消費電力が基準を超えてしまう。図６について以上に説明された本開示の実施例に係る表示輝度調節方法、すなわち、１個目のフレームの表示画面に基づいてＧａｉｎ１を生成し、Ｇａｉｎ１を用いて２個目のフレームの１個目の表示領域の表示データを調節する方法を採用する。１個目のフレームの表示画面全体の輝度が比較的低いので、この場合、取得されるＧａｉｎ１の値が比較的大きく、これで２個目のフレームの１個目の表示領域の表示データを調節した後、当該表示領域の輝度が比較的高くなることが明らかである。しかし、２個目のフレームの２個目の表示領域の表示輝度が、新たなＳＵＭ１及び直前フレームのＳＵＭ２〜ＳＵＭ８により調節され、それに１個目の表示領域の輝度が比較的高いので、生成された新たなＳＵＭ１の値も比較的高く、生成されたＧａｉｎ２の値がＧａｉｎ１の値より小さく、当該２個目の表示領域の輝度が１個目の表示領域の輝度に対して低減し、以降同様に、切り替えた後の２個目のフレームの表示領域の表示データの入力とともに、Ｇａｉｎ値が継続的に変化し、新たに生成されたＧａｉｎ値は、その後表示される表示領域に継続的に適用され、図７に示すような２個目のフレームの表示画面に、各表示領域の輝度の漸進的な変化の効果が現れる。
【００６２】
領域ごとに表示し、表示領域ごとに１つずつＧａｉｎ値を算出する方法で取得された２個目のフレームの表示画面の消費電力は、明らかに図１の２個目のフレームの表示画面の消費電力より低く、Ｇａｉｎ値が１フレーム遅延して作用することで生じる瞬時の表示による消費電力が過大となる問題を効果的に解決する。
【００６３】
以上、図６及び図７を参照して、表示画面が動的である具体的な実施形態を説明した。なお、静的な表示画面の切り替えの場合、領域ごとに表示する効果は、１個目のフレームのみに現れ、時間が極めて短く、人の目では気づきにくいので、表示効果に影響を及ばない。表示画面が動的である場合、連続する２フレームの表示画面の変化が大きくないので、人の目では表示画面の領域ごとの表示にも気づきにくい。
【００６４】
本発明の実施例は、表示輝度調節用の機器８００をさらに提供する。その構成ブロック図は、図８に示すように、プロセッサ８０１とメモリ８０２とを含む。なお、図８に示す機器８００の構成は、単なる例示的なものであり、限定的なものではなく、実際の適用の必要に応じて、当該機器８００は、他のコンポーネントをさらに有してもよい。
【００６５】
本発明の実施例において、プロセッサ８０１とメモリ８０２との間で直接又は間接的な相互通信を行うことができる。プロセッサ８０１やメモリ８０２などのコンポーネントの間で、ネットワーク接続により通信を行うことができる。前記ネットワークは、無線ネットワーク、有線ネットワーク、及び／又は無線ネットワークと有線ネットワークとの任意の組み合わせを含んでもよい。前記ネットワークは、ローカルエリアネットワーク、インターネット、電気通信ネットワーク、インターネット及び／又は電気通信ネットワークに基づくＩｏＴ（Ｉｎｔｅｒｎｅｔ  ｏｆ  Ｔｈｉｎｇｓ）、及び／又は上記ネットワークの任意の組み合わせなどを含んでもよい。有線ネットワークは、例えば、ツイストペアや同軸ケーブル、光ファイバ伝送などの方式を採用して通信を行うことができ、無線ネットワークは、例えば、３Ｇ／４Ｇ／５Ｇ移動通信ネットワーク、Ｂｌｕｅｔｏｏｔｈ（登録商標）やＺｉｇｂｅｅ、ＷｉＦｉなどの通信方式を採用することができる。本発明は、ネットワークのタイプ及び機能についてここで限定しない。
【００６６】
プロセッサ８０１は、前記機器８００における他のコンポーネントを制御して所期の機能を実行することができる。プロセッサ８０１は、中央処理装置（ＣＰＵ）、テンサープロセッシングユニット（ＴＰＵ）、グラフィックプロセッシングユニットＧＰＵなど、データ処理能力及び/又はプログラム実行能力を有する素子であってもよい。中央処理装置（ＣＰＵ）は、Ｘ８６やＡＲＭアーキテクチャなどであってもよい。ＧＰＵは、個別にマザーボードに直接に統合されてもよく、あるいは、マザーボードのノースブリッジチップに内蔵されてもよい。ＧＰＵも、中央処理装置（ＣＰＵ）に内蔵できる。
【００６７】
メモリ８０２は、１つ又は複数のコンピュータプログラム製品の任意の組み合わせを含むことができ、コンピュータプログラム製品は、例えば、揮発性メモリ及び／又は非揮発性メモリのような、様々な形式のコンピュータ読み取り可能な記憶媒体を含んでもよい。揮発性メモリは、例えば、ランダムアクセスメモリ（ＲＡＭ）及び／又はキャッシュ（ｃａｃｈｅ）などを含んでもよい。非揮発性メモリは、例えば、リードオンリーメモリ（ＲＯＭ）や、ハードディスク、ＥＰＲＯＭ（Ｅｒａｓａｂｌｅ  Ｐｒｏｇｒａｍｍａｂｌｅ  Ｒｅａｄ‐Ｏｎｌｙ  Ｍｅｍｏｒｙ）、ＣＤ‐ＲＯＭ（Ｃｏｍｐａｃｔ  Ｄｉｓｃ  Ｒｅａｄ  Ｏｎｌｙ  Ｍｅｍｏｒｙ）、ＵＳＢメモリ、フラッシュメモリなどを含んでもよい。
【００６８】
メモリ８０２には、１つ又は複数のコンピュータ読み取り可能なコード又は命令が記憶されることが可能である。プロセッサ８０１は、上記表示輝度調節用の方法を実行するように、前記コンピュータ命令を実行することができる。前記方法に関する詳細な説明は、本明細書における当該方法に関する関連説明を参照することができ、ここでは、詳しく説明しない。コンピュータ読み取り可能な記憶媒体には、各種のアプリケーションプログラム及び各種のデータが記憶されてもよい。
【００６９】
図９には、本開示の実施例に係る表示パネルの表示輝度調節用の装置が示されている。図９に記載するように、装置９００は、分割モジュール９１０と、輝度調節パラメータ特定モジュール９２０と、調節モジュール９３０と、を含んでもよい。一部の実施例において、装置９００は、図８に示すようなプロセッサとメモリとを含む機器により実現されてもよい。
【００７０】
分割モジュール９１０は、表示画面をＮ個の表示領域に分割し、Ｎが２以上の正整数であるように構成されてもよい。一部の実施例において、表示画面に含まれる画素の数に基づいてＮの値を特定してもよい。例えば、表示画面に含まれる画素の数が比較的多い（例えば、予め設定された閾値を超える）場合、各フレームの表示画面を８個の領域に分割してもよい。又は、表示画面に含まれる画素の数が比較的少ない（例えば、予め設定された閾値より低い）場合、表示画面を４個の領域に分割してもよい。
【００７１】
輝度調節パラメータ特定モジュール９２０は、現在フレームにおけるｉ個目の表示領域に対して、現在フレームにおける１個目ないしｉ−１個目の表示領域の表示データに基づいて、当該ｉ個目の表示領域用の輝度調節パラメータを特定し、ｉが２以上かつＮ以下の正整数であるように構成されてもよい。
【００７２】
一部の実施例において、輝度調節パラメータ特定モジュール９２０は、さらに、現在フレームにおけるｉ個目の表示領域に対して、現在フレームにおける１個目ないしｉ−１個目の表示領域の表示データに基づいて、第１の輝度統計データを特定するように構成されてもよい。
【００７３】
例えば、輝度調節パラメータ特定モジュール９２０は、現在フレームにおける１個目ないしｉ−１個目の表示領域の各々に対して、それぞれ該当表示領域の表示データに基づいて当該表示領域の輝度データを特定することができるように構成されてもよい。すなわち、現在フレームにおける表示済みのｉ−１個の表示領域うち各表示領域に対して、それぞれ該当表示領域の表示データに対応する輝度データを算出し、ｉ−１個の輝度データの値を取得する。一部の実施例において、当該表示領域の表示データは、当該表示領域における各画素の階調値であってもよい。
【００７４】
さらに、輝度調節パラメータ特定モジュール９２０は、特定された現在フレームにおける１個目ないしｉ−１個目の表示領域の各表示領域の輝度データに基づいて、第１の輝度統計データを特定するように構成されてもよい。例えば、上記各表示領域の輝度データの加算値を第１の輝度統計データとして特定してもよい。すなわち、第１の輝度統計データは、現在フレームのｉ−１個の輝度データの和である。
【００７５】
一部の実施例において、輝度調節パラメータ特定モジュール９２０は、直前フレームの少なくとも一部の表示領域の表示データに基づいて、第２の輝度統計データを特定するように構成されてもよい。例えば、直前フレームにおけるｉ個目ないしＮ個目の表示領域の表示データを用いて第２の輝度統計データを特定してもよい。一部の実施例において、輝度統計データの値が大きいほど表示画面が明るくなることが示されている。
【００７６】
例えば、輝度調節パラメータ特定モジュール９２０は、直前フレームにおける表示領域の表示データに基づいて、第２の輝度統計データを特定し、現在フレームにおける調節しようとする表示領域ｉの表示順序に基づいて、前記少なくとも１つの表示領域を特定することができるように構成されてもよい。例えば、ｉが比較的小さい場合（例えば、Ｎが８であり、ｉが２である場合）、第２の輝度統計データを特定するための直前フレームにおける表示領域の数を増加することができ、例えば、直前フレームにおける２個目ないし８個目の表示領域の表示データを用いて第２の輝度統計データを算出する。ｉが比較的大きい場合（例えば、Ｎが８であり、ｉが７である場合）、第２の輝度統計データを特定するための直前フレームにおける表示領域の数を適宜減少することができ、例えば、直前フレームにおける７個目ないし８個目の表示領域の表示データを用いて第２の輝度統計データを算出する。
【００７７】
調節モジュール９３０は、前記輝度調節パラメータに基づいて、現在フレームにおけるｉ個目の表示領域の表示輝度を調節するように構成されてもよい。Ｎ及びｉが２以上の正整数であり、ｉがＮ以下である。
【００７８】
一部の実施例において、調節モジュール９３０は、現在フレームにおける１個目ないしｉ−１個目の表示領域の表示データに基づいて特定された第１の輝度統計データ、及び、直前フレームにおける表示領域の表示データに基づいて特定された第２の輝度統計データに基づいて、前記輝度調節パラメータを特定し、特定された輝度調節パラメータに基づいて、現在フレームにおけるｉ個目の表示領域内の各画素の表示輝度を調節するように構成されてもよい。すなわち、領域ごとに表示する場合、現在フレーム内の表示済みの表示領域の表示データ、及び、直前フレームの少なくとも一部の表示データに基づいて、現在フレームにおける表示しようとするｉ個目の表示領域の表示データを調節する。
【００７９】
一部の実施例において、各フレームの表示画面をＮ個の表示領域に分割することで、各表示領域の輝度データをそれぞれ特定し、輝度統計データの特定に用いるために、装置９００のメモリに各表示領域の輝度データをそれぞれ記憶することができる。
【００８０】
本開示のまた別の一態様によれば、上述したような表示輝度調節用の機器を含むことができる表示装置をさらに提供する。前記機器によれば、前記表示装置は、本開示の実施例に係る表示輝度調節機能を実現することができる。
【００８１】
本開示のまた別の一態様によれば、コンピュータ読み取り可能なコードが記憶される非一時的なコンピュータ読み取り可能な記憶媒体をさらに提供し、前記コンピュータ読み取り可能なコードは、１つ又は複数のプロセッサによって実行されるとき、上述したような表示輝度調節用の方法を実行する。
【００８２】
コンピュータ読み取り可能な媒体は、有形記憶媒体や搬送波媒体、物理伝送媒体などを含む、複数の形態をとり得る。不揮発性記憶媒体は、光ディスクや磁気ディスク、及び他のコンピュータや同様な機器に使用される、図示されたシステムコンポーネントを実現できる記憶システムを含んでもよい。揮発性記憶媒体は、例えば、コンピュータプラットフォームのメインメモリなどのダイナミックメモリを含んでもよい。有形伝送媒体は、例えば、コンピュータシステム内のバスを形成するワイヤのような、同軸ケーブル、銅ケーブル、及び光ファイバを含んでもよい。搬送波伝送媒体は、電気信号や電磁信号、音波信号、光波信号などを伝達することができる。これらの信号は、無線周波数又は赤外線データ通信の方法により生成され得る。一般的なコンピュータ可読媒体は、ハードディスク、フロッピーディスク、磁気テープ、任意の他の磁気媒体、ＣＤ‐ＲＯＭ、ＤＶＤ、ＤＶＤ‐ＲＯＭ、任意の他の光媒体、パンチカード、孔パターンを有する任意の他の物理記憶媒体、ＲＡＭ、ＰＲＯＭ、ＥＰＲＯＭ、ＦＬＡＳＨ‐ＥＰＲＯＭ、任意の他のメモリチップ又は磁気テープ、データ又は命令を伝送する搬送波、ケーブルや搬送波を伝送する接続装置、コンピュータで読み取ることができる任意の他のプログラミングコード及び／又はデータを含む。これらのコンピュータ読み取り可能な媒体の形態の多数は、プロセッサが命令を実行し、１つ又はより多くの結果を伝達するプロセスに携わり得る。
【００８３】
本開示は、表示輝度調節用の方法、機器、表示装置及び記憶媒体を提供する。前記方法は、各フレームの表示画面をＮ個の領域に分割して、領域ごとに表示し、現在フレームにおける１個目ないしｉ−１個目の表示領域の表示データに基づいて、現在フレームのｉ個目の表示領域用の輝度調節パラメータを特定するステップと、前記輝度調節パラメータに基づいて、現在フレームにおけるｉ個目の表示領域の表示データを調節するステップと、を含む。Ｎ及びｉは２以上の正整数であり、ｉはＮ以下であり、より正確な表示輝度の調節を実現し、消費電力を増加させずに表示画面のコントラストを向上させ、ゲイン値の遅延により瞬時消費電力が過大となる問題を解決し、より優れた表示効果を実現する。
【００８４】
特に定義されない限り、ここで使用されるすべての用語（技術及び科学用語を含む）は、本発明が属する技術の分野における当業者が一般的に理解する意味を有する。なお、一般的に使用される辞書に定義される用語は、関連技術の文脈に合う意味と一致する意味を有するように解釈されるべきであり、ここで明確に定義されない限り、理想化された、又は過度に形式化された意味で解釈されるべきではない。
【００８５】
以上は、本発明を説明するためのものであり、本発明を限定するものと解釈してはならない。本発明のいくつかの例示的な実施例を説明したが、当業者は、本発明の新規な教示及び利点から実質的に逸脱せずに、例示的な実施例に対してさまざまな修正を行うことが可能であることを容易に理解するはずである。従って、このようなすべての修正は、特許請求の範囲によって限定される本発明の範囲内に含まれることが意図されている。なお、以上は本発明を説明するためのものであり、開示された特定の実施例に限られるものと解釈してはならないし、開示された実施例、及び他の実施例に対する修正意図は、添付の特許請求の範囲に含まれる。本発明は、特許請求の範囲及びその均等物によって限定される。
【符号の説明】
【００８６】
800  機器
801  プロセッサ
802  メモリ
910  分割モジュール
920  輝度調節パラメータ特定モジュール
930  調節モジュール
【図１】
2021520507.tif 000003
【図２】
2021520507.tif 000004
【図３】
2021520507.tif 000005
【図４】
2021520507.tif 000006
【図５】
2021520507.tif 000007
【図６】
2021520507.tif 000008
【図７】
2021520507.tif 000009
【図８】
2021520507.tif 000010
【図９】
2021520507.tif 000011
【国際調査報告】
2021520507.tif 000012
2021520507.tif 000013
2021520507.tif 000014
2021520507.tif 000015